(57)【要約】【課題】光導通フィルタの冷却を行うことができ、また構成が簡単で且つ取り扱い易い美容装置を提供する。【解決手段】  本発明の美容装置１は、光導通フィルタ１１を皮膚に当てて光源ランプ７の光を皮膚に照射する美容装置であって、ヘッド部３から把持部５に亘って設けたヒートパイプ６を備え、把持部５には、ペルチェ素子１４及びヒートパイプ冷却用ファン３３が収納されており、ヒートパイプ６は一端部６ａが光導通フィルタ１１に接触しており、他端部６ｂが把持部５に設けたペルチェ素子１４で冷却すると共にペルチェ素子１４の熱をヒートパイプ冷却用ファン３３で冷却する構成になっている。【選択図】図１
2009022333.tif 000002
【特許請求の範囲】
【請求項１】
光源ランプと、光源ランプの光を導通する光導通フィルタと、光源ランプ及び光導通フィルタを収納したヘッド部と、把持部とを備え、光導通フィルタを皮膚に当てて光源ランプの光を皮膚に照射する美容装置において、
ヘッド部から把持部に亘って設けたヒートパイプを備え、把持部には、ペルチェ素子及びヒートパイプ冷却用ファンが収納されており、ヒートパイプは一端部が光導通フィルタに接触しており、他端部が把持部に設けたペルチェ素子で冷却すると共にペルチェ素子の熱をヒートパイプ冷却用ファンで冷却していることを特徴とする美容装置。
【請求項２】
ヒートパイプには温度センサが設けてあり、温度センサの検知温度に応答して、ペルチェ素子への通電を制御することを特徴とする請求項１記載の美容装置。
【請求項３】
把持部は後端部にヒートパイプ冷却用ファンの収納空間を有し、ヒートパイプは、帯状体であり、一端側の面を導通フィルタの側面に接触してあり、他端側の面を他端側の面をペルチェ素子に接触してあることを特徴とする請求項２に記載の美容装置。
【請求項４】
ヘッド部には左右に光源ランプの冷却用ファンが設けてあり、光源ランプの冷却風はヘッド部から排出してあり、ヒートパイプ冷却用ファンの冷却風は把持部の後端部から排出することを特徴とする請求項１乃至３の何れか一項に記載の美容装置。
【発明の詳細な説明】
【技術分野】
【０００１】
本発明は、ランプ光を皮膚に向けて照射する美容装置に関する。
【背景技術】
【０００２】
特許文献１には、ランプ光を皮膚に照射して脱毛を図る美容装置において、光源ランプを収納したヘッド部内をファンにより空冷することが開示されている。
【０００３】
【特許文献１】特開２００５−５８２号公報
【発明の開示】
【発明が解決しようとする課題】
【０００４】
しかし、上述の方法では、ヘッド部内の冷却を図ることができるが、ランプ光照射時に皮膚に接触する光導通フィルタの冷却は充分でなかった。
【０００５】
特に、光導通フィルタは皮膚に接触させるものであるから、光導通フィルタの温度が上昇しすぎた場合には、温度が下がるまで使用できなくなるおそれがある。
【０００６】
本発明は、光導通フィルタの冷却を行うことができ、また構成が簡単で且つ取り扱い易い美容装置を提供することを目的とする。
【課題を解決するための手段】
【０００７】
請求項１に記載の発明は、光源ランプと、光源ランプの光を導通する光導通フィルタと、光源ランプ及び光導通フィルタを収納したヘッド部と、把持部とを備え、光導通フィルタを皮膚に当てて光源ランプの光を皮膚に照射する美容装置において、ヘッド部から把持部に亘って設けたヒートパイプを備え、把持部には、ペルチェ素子及びヒートパイプ冷却用ファンが収納されており、ヒートパイプは一端部が光導通フィルタに接触しており、他端部が把持部に設けたペルチェ素子で冷却すると共にペルチェ素子の熱をヒートパイプ冷却用ファンで冷却していることを特徴とする。
【０００８】
請求項２に記載の発明は、請求項１記載の発明において、ヒートパイプには温度センサが設けてあり、温度センサの検知温度に応答して、ペルチェ素子への通電を制御することを特徴とする。
【０００９】
請求項３に記載の発明は、請求項２記載の発明において、把持部は後端部にヒートパイプ冷却用ファンの収納空間を有し、ヒートパイプは、帯状体であり、一端側の面を導通フィルタの側面に接触してあり、他端側の面をペルチェ素子に接触してあることを特徴とする。
【００１０】
請求項４に記載の発明は、請求項１〜３の何れか一項に記載の発明において、ヘッド部には左右に光源ランプの冷却用ファンが設けてあり、光源ランプの冷却風はヘッド部から排出してあり、ヒートパイプ冷却用ファンの冷却風は把持部の後端部から排出することを特徴とする。
【発明の効果】
【００１１】
請求項１に記載の発明によれば、ヒートパイプの一端部を光導通フィルタに接触させて、ヒートパイプの他端部をペルチェ素子及びファンにより冷却しているので、光導通フィルタの冷却を図ることができる。
【００１２】
ヒートパイプにより、光導通フィルタの熱をヘッド部から把持部に移動して冷却するので、光源ランプやその制御回路等を設けているヘッド部の構成に影響を与えることなく且つ把持部の空間を利用してファンを設置でき、小型でコンパクトな構成にすることができる。
【００１３】
請求項２に記載の発明によれば、請求項１記載の発明と同様の効果を奏すると共に、ヒートパイプに温度センサを設けて、所定温度、例えば、人肌と略同等の温度になるようにファンの駆動を制御することにより、高温になることはもとより、冷却しすぎることも防止できるので、光導通フィルタを肌に接触したときの被使用者の違和感を低減できる。
【００１４】
請求項３に記載の発明では、請求項２に記載の発明と同様の効果を奏すると共に、帯状のヒートパイプにより、ヘッド部から把持部の後端部に熱を移動させて、把持部の端部で熱を排気できる。また、ヒートパイプを光導通フィルタの一端面に面接触させ、ヒートパイプの他端部にはペルチェ素子を面接触させて冷却するので、冷却面積が広く取れて冷却効率が良い。
【００１５】
請求項４に記載の発明では、請求項１乃至３の何れかに一項に記載の発明と同様の効果を奏すると共に、光源ランプを冷却した排気風と、光導通フィルタを冷却した排気風とは離れた位置で排気するので、排気熱の集約がなく、熱の拡散を図ることができる。排気熱の集約がないから、使用者や被使用者が排熱を受ける不快感を低減できる。
【発明を実施するための最良の形態】
【００１６】
以下、添付した図面を参照しながら本発明の実施の形態を詳細に説明する。図１は本発明に係る美容装置の縦断面図、図２は本発明に係る美容装置の横断面図、図３は本発明に係る美容装置の斜視図である。
【００１７】
本実施の形態に係る美容装置１は、ランプ光を発する光源ランプ（Ｘｅランプ）７を収納したヘッド部３と、美容装置１を使用時に手で握る把持部５とを備えており、ヘッド部３には、光源ランプ７のランプ光を導出する光導通フィルタ１１が設けられ、光導通フィルタ１１の前端面を皮膚に当て、ランプ光を皮膚に照射することにより脱毛を行うものである。
【００１８】
ヘッド部３内には、光源ランプ７が配置されており、光源ランプ７に対面した位置には上述した光導通フィルタ１１が設けられている。光導通フィルタ１１は、四角柱形状を成した石英ガラスであり、四角柱形状の後端面が光源ランプ７に対面し、前端面からランプ光を導出して光照射する。
【００１９】
石英ガラス製の光導通フィルタ１１は、光源ランプ７から照射されたランプ光のうち、メラニン吸収度の高い波長をカットし皮膚へのダメージを抑えるようにしている。
【００２０】
ヘッド部３の前端側には、光導通フィル１１を保持部するフィルタ保持部１２が設けてあり、光導通フィルタ１１を嵌合保持している。
【００２１】
光源ランプ７は基板２５（図２参照）に脱着自在にねじ固定してあり、交換可能になっている。また、光源ランプ７には、光反射板２７が設けてあり、光源ランプ７の光を光導通フィルタ１１に向けて案内している。
【００２２】
光反射板２７はアルミニウム材等からなり、その裏面を後述する通風路２３内に露出することにより、光源ランプ７から発した熱が、光反射板２７から通風路２３内に向けて放熱されるようになっている。
【００２３】
ヘッド部３の左右両側の各側には、通気孔２１ａ、２１ｂが形成されており、ヘッド部３の内部において、通気孔２１ａ、２１ｂに対面する位置には、光源ランプ冷却用ファン１３ａ、１３ｂが設けられており、ファン１３ａ、１３ｂの駆動により、左右一側の通気孔２１ａから外気をヘッド部３内に導入し且つ左右他側から通気孔２１ｂからヘッド部３内の空気を外部に放出している。尚、各ファン１３ａ、１３ｂは回転数を変更することで風量の増減を行っている。
【００２４】
また、ヘッド部３の内部は、図２に示すように、一方の通気孔２１ａから流入した空気が他方の通気孔２１ｂへと抜ける通風路２３となっており、通風路２３内の通風方向の中央付近に光源ランプ７が位置している。また、通風路２３は、光源ランプ７よりも光導通フィルタ１１側にある前壁２７と光源ランプ７の後側にある平面視略円弧形状の案内壁２４とで左右方向に送風が案内されるようになっており、通風路２３の幅は、光源ランプ７付近を狭くしている。
【００２５】
図１に示すように、把持部５には、制御回路基板１７が収納されており、制御回路基板１７で、光源ランプ７の波長、パルス幅、パルスサイクル、パルス反復回数、エネルギー値を細かく可変できるよう設定されている。具体的には、波長は５７５ｎｍ〜１０８０ｎｍ，パルス幅は０．５ｍｓ〜８ｍｓ、パルスサイクルは１０ｍｓ〜９９ｍｓ、パルス反復回数は１Ｈｚ〜１０Ｈｚ、照射エネルギーは１Ｊ〜２５Ｊの範囲内で変更できる。
【００２６】
ここで、光導通フィルタ１１の冷却について説明する。図１に示すように、ヘッド部３及び把持部５には、ヘッド部３の前端から把持部の後端に亘って延出する帯状のヒートパイプ６が設けてあり、ヒートパイプ６の前端は光導通フィルタ１１の側面に接触してあり、ヒートパイプ６の後端は、把持部５の後端部３７に配置してある。把持部５の後端部３７には、ペルチェ素子１４及びヒートパイプ冷却用ファン３３が設けてあり、ペルチェ素子１４でヒートパイプ６を冷却すると共にペルチェ素子１４の熱をヒートパイプ冷却用ファン３３で排出している。この把持部５の後端部３７において、ヒートパイプ冷却用ファン３３の収納室３５を形成する壁には通気孔３９（図３参照）が形成されている。通気孔３９は、ヘッド部３の通気孔２１ａ、２１ｂから離れた位置にあり、ヘッド３の排気と離れた位置で排気するようになっている。
【００２７】
ヒートパイプ冷却用ファン３３は送風方向をヒータパイプ６の後端部６ｂの面に対面して設けてあり、ヒートパイプ６を冷却するペルチェ素子１４の熱を直接排出するようになっている。
【００２８】
ヒートパイプ６は変形自在であり、ヘッド部３から把持部５の内壁面に沿って配置してある。このヒートパイプ６は、アルミニウム材を帯状に形成し内部に密閉空間を形成してあり、密閉空間にはフロン又はブタン等の冷媒を封入してある。
【００２９】
ヒートパイプ６の前側端部は、フィルタ保持部１２と光導通フィルタ１１との間に保持されて、ヒートパイプ６の前側端部では、ヒートパイプ６の側面が光導通フィルタ１１の側面に圧接されている。
【００３０】
ヒートパイプ６の長手方向中央部には、温度センサ４１が設けてあり、ヒートパイプ６の温度を検知して検知信号を制御部（制御回路）７に送り、ペルチェ素子１４への通電（オン／オフ）を制御している。例えば、制御部７では温度センサ４１の検知温度に基づくフィードバック制御によりペルチェ素子１４の通電を制御している。
【００３１】
次に、上記した構成に基づき、本実施の形態の作用を説明する。本実施の形態に係る美容装置１の使用は、把持部５を手に持ち、ヘッド部３から突設する光導通フィルタ１１の前端面を皮膚に当てる。そして、スイッチ（図示せず）を入力することにより、光源ランプ７からランプ光が発せられ、ヘッド部３から突設する光導通フィルタ１１を通過したランプ光が皮膚に照射される。
【００３２】
光源ランプ７の照射が開始されると、ヘッド部３内の光源ランプ冷却用ファン１３ａ、１３ｂが駆動を開始し、これに伴い、左右の一方の通気孔２１ａから外気が取り込まれる。通気孔２１ａから導入された空気は、ヘッド部３内の通風路２３を通過しつつ、ヘッド部３内の光源ランプ７を冷却し、光源ランプ７を冷却した空気は、他方側の通風孔２１ｂを通過して機外に排出される。
【００３３】
このように、ファン１３の駆動により通気孔２１からヘッド部３内に通風するだけで、ヘッド部３内の光源ランプ７を冷却できるので、ヘッド部３の構造を簡単にすることができ、装置全体の小型化も図ることができる。また、ヘッド部３内の装置だけで冷却を行うことができるので、冷却水を使う場合のように冷却水をヘッド部３内に導くための接続管を別途設ける必要もなく、装置全体の構成を簡単にできる。従って、美容装置１の小型化を図ることができ、軽量且つ取り扱いが容易である。
【００３４】
また、光源ランプ７から発した熱は、光反射板２７から通風路２３内に放熱され、通気孔２１から流入した空気と共に機外に排出されるので、光源ランプ７から発した熱を効率良く放熱できる。
【００３５】
通風路２３は、その背面側が通風路２３の中央部分が狭くなった略円弧形状の壁２４となっているので、一方の通気孔２１から流入した空気が、通風路２３の中央部分で流速が速まることで、光源ランプ７から発した熱の放熱効果が更に高まる。以上のように、光源ランプ７から発する熱を効率的に放熱しているので、光源ランプ７が高温になるのを防止でき、光源ランプ７の寿命を延ばすことができる。例えば、水冷式の脱毛器の場合は、２万回の使用により光源ランプ７の交換を行っていたが、本実施の形態に係る脱毛器１の場合は、８万回〜１０万回の使用まで耐えられるようになっている。
【００３６】
次に、光導通フィルタ１１の冷却について説明する。ヘッド部３ではヒートパイプ６の前端部６ａを光導通フィルタ１１に接触させて、把持部５では、ヒートパイプ６の後端部６ｂをペルチェ素子１４及びヒートパイプ冷却用ファン３３の送風により冷却して、光導通フィルタ１１の冷却を図ることができる。
【００３７】
ヒートパイプ６により、光導通フィルタ１１の熱を把持部５に移動して冷却するので、ヘッド部３の構成を複雑にすることなく、把持部５の空間を利用してヒートパイプ冷却用ファン３３を設置でき、小型でコンパクトな構成にすることができる。特に、部品点数の多いヘッド部３から熱を移動させているので、ヘッド部３の構造に影響を与えることなく、光導通フィルタ１１の冷却を図ることができる。
【００３８】
ヒートパイプ６の中間部に温度センサ４１を設けて、所定温度、例えば、人肌と略同等の温度（３６℃）になるようにペルチェ素子１４への通電を制御することにより、ヒートパイプ６が高温になることはもとより、冷却しすぎることも防止できるので、光導通フィルタ１１を肌に接触したときの違和感を低減できる。
【００３９】
帯状のヒートパイプ６により、ヘッド部３から把持部５の後端部に熱を移動させて、把持部５の後端部で熱を排気できる。このように熱を移動させることにより、ヘッド部における光源ランプ７の排気風と、把持部における光導通フィルタ１１の排気風とを互いに離れた位置で吹き出すので、排気熱の集約がなく、熱の拡散を図ることができる。排気熱の集約がないから、使用者や被使用者が排熱を受ける不快感を防止できる。
【００４０】
また、ヒートパイプ６の前端部６ａを光導通フィルタ１１に面で接触させ、ヒートパイプ６の他端部の面をペルチェ素子１４に面接触させて冷却すると共にペルチェ素子１４の熱をファン３３で排気するので、冷却面積が広くでき光導通フィルタの冷却効率が良い。
【００４１】
上述のような実施の形態に限定されず、その要旨を逸脱しない範囲内において種々の変形が可能である。例えば、美容機器１は、皮膚に光源ランプ７の光を照射して脱毛を図ることに限らず、光源ランプ７の波長、パルス幅、パルスサイクル等を細かく変更することで、脱毛以外の種々の用途に適用することができ、例えば皮膚の活性を図ることで、美肌効果等を得ることもできる。
【図面の簡単な説明】
【００４２】
【図１】本発明に係る美容装置の縦断面図である。
【図２】本発明に係る美容装置の横断面図である。
【図３】本発明に係る美容装置の斜視図である。
【符号の説明】
【００４３】
１            美容装置
３            ヘッド部
５            把持部
７            光源ランプ
６            ヒートパイプ
１４          ペルチェ素子
３３          ヒートパイプ冷却用ファン
４１          温度センサ
【図１】
2009022333.tif 000003
【図２】
2009022333.tif 000004
【図３】
2009022333.tif 000005